(57)【特許請求の範囲】
【請求項１】
耕耘作業を行う耕耘体及び該耕耘体の後方位置に上下方向に回動可能に位置して整地作業を行う第１整地板及び該第１整地板の後方位置に上下方向に回動可能に位置して整地作業を行う第２整地板を有する作業機本体と、該作業機本体の幅方向端部に折り畳み可能に回動自在に設けられ、前記耕耘体の作業幅を延長する延長耕耘体及び該延長耕耘体の後方位置に上下方向に回動可能に位置して整地作業を行う第１延長整地板及び該第１延長整地板の後方位置に上下方向に回動可能に位置して整地作業を行う第２延長整地板を有する延長作業体とを備えた折り畳み農作業機において、
前記延長作業体の回動に連動して前記第２延長整地板と前記第２整地板を連結及び連結解除するとともに、前記延長作業体を折り畳み姿勢にすると前記第１延長整地板に係止されて前記第２延長整地板の回動を規制し前記延長作業体を展開姿勢にすると前記第１延長整地板との係止が解かれて前記第２延長整地板の回動規制を解除する回動規制手段を備え、
前記回動規制手段は、前記第２延長整地板の第２整地板側端部に該第２延長整地板の幅方向に移動自在に支持された軸本体部と、前記第２延長整地板の第２整地板側端部に設けられて前記延長作業体の回動に連動して前記第２延長整地板と前記第２整地板を連結及び連結解除する連結軸部と一体的に設けられ、前記延長作業体を折り畳み姿勢にすると前記第１延長整地板に係止されて前記第２延長整地板の回動を規制し前記延長作業体を展開姿勢にすると前記第１延長整地板との係止が解かれて前記第２延長整地板の回動規制を解除する回動規制軸部と、前記軸本体部を第２整地板側に付勢する付勢手段と、前記第１延長整地板の第１整地板側端部から第２延長整地板側に延びる側板部の先端部に設けられて前記回動規制軸部を係止して前記第２延長整地板の回動を規制する係止凹部と、前記第２整地板の前記第２延長整地板側端部に設けられて前記連結軸部と嵌合して該第２延長整地板の前記第２整地板に対する上下方向の移動を規制して前記第２延長整地板と前記第２整地板を一体的に連結する固定孔部とを有することを特徴とする折り畳み農作業機。
【請求項２】
前記係止凹部は、前記回動規制軸部における前記第２延長整地板の回動方向一方側端部及び他方側端部と当接する第１係止面及び第２係止面を有することを特徴とする請求項１に記載の折り畳み農作業機。
【請求項３】
前記回動規制手段の前記連結軸部は、
前記延長作業体が展開姿勢側に回動して展開姿勢の直前位置に移動すると、前記連結軸部の先端部が前記固定孔部より上方の該固定孔部を設けた側板部に当接することを特徴とする請求項１又は２に記載の折り畳み農作業機。
【請求項４】
前記第２延長整地板は、前記延長作業体が折り畳み姿勢になると、前記回動規制手段によって回動規制された状態で先端が下方へ向いた姿勢になることを特徴とする請求項１から３のいずれかに記載の折り畳み農作業機。
【請求項５】
耕耘作業を行う耕耘体及び該耕耘体の後方位置に上下方向に回動可能に位置して整地作業を行う第１整地板及び該第１整地板の後方位置に上下方向に回動可能に位置して整地作業を行う第２整地板を有する作業機本体と、該作業機本体の幅方向端部に折り畳み可能に回動自在に設けられ、前記耕耘体の作業幅を延長する延長耕耘体及び該延長耕耘体の後方位置に上下方向に回動可能に位置して整地作業を行う第１延長整地板及び該第１延長整地板の後方位置に上下方向に回動可能に位置して整地作業を行う第２延長整地板を有する延長作業体とを備えた折り畳み農作業機において、
前記延長作業体の回動に連動して前記第２延長整地板と前記第２整地板を連結及び連結解除するとともに、前記延長作業体を折り畳み姿勢にすると前記第１延長整地板に係止されて前記第２延長整地板の回動を規制し前記延長作業体を展開姿勢にすると前記第１延長整地板との係止が解かれて前記第２延長整地板の回動規制を解除する回動規制手段を備え、
前記回動規制手段は、前記第２延長整地板の第２整地板側端部に該第２延長整地板の幅方向に移動自在に支持された軸本体部と、前記第２延長整地板の第２整地板側端部に設けられて前記延長作業体の回動に連動して前記第２延長整地板と前記第２整地板を連結及び連結解除する連結軸部と一体的に設けられ、前記延長作業体を折り畳み姿勢にすると前記第１延長整地板に係止されて前記第２延長整地板の回動を規制し前記延長作業体を展開姿勢にすると前記第１延長整地板との係止が解かれて前記第２延長整地板の回動規制を解除する回動規制軸部と、前記軸本体部を第２整地板側に付勢する付勢手段と、前記第１延長整地板の第１整地板側端部から第２延長整地板側に延びる側板部の先端部に設けられて前記回動規制軸部と当接して該第２延長整地板の一方側の回動を規制する第１係止面及び前記側板部の基部側に設けられて前記第２延長整地板の第２整地板側端部と当接して該第２延長整地板の他方側の回動を規制する第２係止面と、前記第２整地板の第２延長整地板側端部に設けられて前記連結軸部と嵌合して前記第２延長整地板と前記第２整地板を一体的に連結する固定孔部とを有することを特徴とする折り畳み農作業機。
【発明の詳細な説明】
【技術分野】
【０００１】
本発明は、延長作業体を折り畳むことができる折り畳み農作業機に関する。
【背景技術】
【０００２】
このような折り畳み農作業機８１には、図１０（斜視図）に示すように、耕耘作業を行う耕耘体及びこの後方位置に上下方向に回動可能に位置して整地作業を行う第１整地板（文献ではエプロン）１５及び第１整地板１５の後方位置に上下方向に回動可能に位置して整地作業を行う第２整地板（文献では均平板）１６を有する作業機本体１０と、作業機本体１０の幅方向の外側端部に折り畳み可能に回動自在に設けられ、耕耘体の作業幅を延長する延長耕耘体及びこの後方位置に上下方向に回動可能に位置して整地作業を行う第１延長整地板（文献ではエプロン）３２及び第１延長整地板３２の後方位置に上下方向に回動可能に位置して整地作業を行う第２延長整地板（文献では均平板）３３を有する延長作業体（文献では右作業機部分、左作業機部分）３０を備えたものが知られている（特許文献１参照）。
【０００３】
この折り畳み農作業機８１は、延長作業体３０が折り畳み姿勢になると、延長作業体３０は展開姿勢から略１８０°回動して、延長作業体３０の背面と作業機本体１０の背面とが重ね合わされるようにして作業機本体１０の上方位置に格納される。
【０００４】
【特許文献１】特開２００３−３０４７０７号公報
【発明の開示】
【発明が解決しようとする課題】
【０００５】
このような従来の折り畳み農作業機は、延長作業体を折り畳み姿勢にすると、第２延長整地板の第１延長整地板に対する回動がフリーな状態となって、第２延長整地板は先端が下向へ向いた姿勢になる。このような状態で農作業機が圃場等を進行すると、第２延長整地板は農作業機の進行方向前側及び後側に回動して作業機本体の第１整地板等と衝突して騒音が発生したりこれらが破損したりする虞があるという問題が発生する。
【０００６】
本発明は、このような問題に鑑みてなされたものであり、延長作業体を折り畳み姿勢にした場合、第２延長整地板の回動によって騒音が発生したり第２延長整地板等が破損したりする事態を防止することができる折り畳み農作業機を提供することを目的とする。
【課題を解決するための手段】
【０００７】
上記目的を達成するために本発明の折り畳み農作業機は、耕耘作業を行う耕耘体及び該耕耘体の後方位置に上下方向に回動可能に位置して整地作業を行う第１整地板及び該第１整地板の後方位置に上下方向に回動可能に位置して整地作業を行う第２整地板を有する作業機本体と、該作業機本体の幅方向端部に折り畳み可能に回動自在に設けられ、耕耘体の作業幅を延長する延長耕耘体及び該延長耕耘体の後方位置に上下方向に回動可能に位置して整地作業を行う第１延長整地板及び該第１延長整地板の後方位置に上下方向に回動可能に位置して整地作業を行う第２延長整地板を有する延長作業体とを備えた折り畳み農作業機において、延長作業体の回動に連動して第２延長整地板と第２整地板を連結及び連結解除するとともに、延長作業体を折り畳み姿勢にすると第１延長整地板に係止されて第２延長整地板の回動を規制し延長作業体を展開姿勢にすると第１延長整地板との係止が解かれて第２延長整地板の回動規制を解除する回動規制手段（例えば、実施形態における第２回動規制手段７０）を備え、回動規制手段は、第２延長整地板の第２整地板側端部に該第２延長整地板の幅方向に移動自在に支持された軸本体部と、第２延長整地板の第２整地板側端部に設けられて延長作業体の回動に連動して第２延長整地板と第２整地板を連結及び連結解除する連結軸部と一体的に設けられ、延長作業体を折り畳み姿勢にすると第１延長整地板に係止されて第２延長整地板の回動を規制し延長作業体を展開姿勢にすると第１延長整地板との係止が解かれて第２延長整地板の回動規制を解除する回動規制軸部と、軸本体部を第２整地板側に付勢する付勢手段（例えば、実施形態における付勢ばね７４）と、第１延長整地板の第１整地板側端部から第２延長整地板側に延びる側板部（例えば、実施形態における側板部３２ａ）の先端部に設けられて回動規制軸部を係止して第２延長整地板の回動を規制する係止凹部と、第２整地板の第２延長整地板側端部に設けられて連結軸部と嵌合して該第２延長整地板の第２整地板に対する上下方向の移動を規制して第２延長整地板と第２整地板を一体的に連結する固定孔部とを有することを特徴とする。
【０００８】
この発明によれば、延長作業体の回動に連動して第２延長整地板と第２整地板を連結及び連結解除するとともに、延長作業体を折り畳み姿勢にすると第１延長整地板に係止されて第２延長整地板の回動を規制し延長作業体を展開姿勢にすると第１延長整地板との係止が解かれて第２延長整地板の回動規制を解除する回動規制手段を備えることにより、延長作業体が折り畳み姿勢になると、回動規制手段によって第２延長整地板の回動が規制される。このため、第２延長整地体が回動して作業機本体に衝突する虞を確実に防止することができ、第２延長整地体の衝突よって騒音が発生したり第２延長整地体等が破損したりする事態を未然に防止することができる。
【０００９】
また、この発明によれば、回動規制手段は、延長作業体の回動に連動する連結軸部と一体的に設けられ、延長作業体を折り畳み姿勢にすると第２延長整地板の回動を規制し延長作業体を展開姿勢にすると第２延長整地板の回動規制を解除する回動規制軸部を有することにより、既存の連結軸部に回動規制軸部が一体的に設けられるので、回動規制手段の部品点数の増加を抑制することができ、折り畳み農作業機のコストアップを抑制することができる。
【００１０】
また、この発明によれば、回動規制手段は、軸本体部と連結軸部及び回動規制軸部と付勢手段と係止凹部と固定孔部とを有することにより、既存の連結軸部を利用して延長作業体が折り畳み姿勢にあるときに第２延長整地板の回動を規制することができ、農作業機のコストアップを抑制することができる。
【００１１】
また本発明の係止凹部は、回動規制軸部における第２延長整地板の回動方向一方側端部及び他方側端部と当接する第１係止面及び第２係止面を有することを特徴とする。
【００１２】
この発明によれば、係止凹部は第１係止面及び第２係止面を有することにより、簡素な構造で回動規制軸部の移動を止めて第２延長整地板の回動を確実に規制することができる。このため、農作業機のコストアップをより抑制することができる。
【００１３】
さらに本発明の回動規制手段の連結軸部は、延長作業体が展開姿勢側に回動して展開姿勢の直前位置に移動すると、固定孔部より上方の該固定孔部を設けた側板部に当接することを特徴とする。
【００１４】
この発明によれば、連結軸部は、延長作業体が展開姿勢側に回動して展開姿勢の直前位置に移動すると、連結軸部の先端部が固定孔部より上方の該固定孔部を設けた側板部に当接することにより、展開姿勢の直前位置からさらに延長作業体が展開姿勢側に回動すると、連結軸部の先端部は側板部に当接しながら固定孔部側に移動し、延長作業体が展開姿勢になると、連結軸部は付勢手段の付勢力によって固定孔部内に挿入される。本発明は、展開姿勢の直前位置で連結軸部が側板部に当接するように構成されているが、延長作業体が展開姿勢になったときに連結軸部が直接に固定孔部内に挿入される構成の方が当然の発想である。また延長作業体及び作業機本体は軸方向に延びた構造であり自重によって撓み易く、連結軸部と固定孔部の相対位置がずれる虞があるが、これらの相対位置がずれないように延長作業体や作業機本体の剛性を強化することもできる。しかしながら、このようにすると、農作業機の自重が増大するとともにコストが増加するという問題が生じる。そこで、延長作業体や作業機本体の剛性を上げることなく連結軸部を固定孔部内に挿入可能な構造が必要とされ、前述したような、延長作業体が展開姿勢の直前位置に移動すると連結軸部の先端部が固定孔部より上方の側板部に当接する発明が開発された。このため、延長作業体が展開姿勢になったときに連結軸部が直接に固定孔部内に挿入される場合と比較して、本発明は、延長作業体や作業機本体の剛性を上げることなく、延長作業体の組み立て精度や連結軸部の取り付け精度の許容範囲を大きくすることができ、農作業機のコストアップをさらに抑制することができる。
【００１５】
また本発明の第２延長整地板は、延長作業体が折り畳み姿勢になると、回動規制手段によって回動規制された状態で先端が下方へ向いた姿勢になることを特徴とする。
【００１６】
この発明によれば、第２延長整地板は、延長作業体が折り畳み姿勢になると、回動規制された状態で先端が下方へ向いた姿勢になることにより、折り畳み農作業機の進行方向に対する前後方向の長さを短くすることができ、農作業機が圃場等を移動する際の農作業機の移動操作を容易にすることができる。また第２延長整地板の先端部を下方に向けることができるので、第２延長整地板の先端部が障害物等に接触する虞を抑制することができる。
【００１７】
また本発明の折り畳み農作業機は、耕耘作業を行う耕耘体及び該耕耘体の後方位置に上下方向に回動可能に位置して整地作業を行う第１整地板及び該第１整地板の後方位置に上下方向に回動可能に位置して整地作業を行う第２整地板を有する作業機本体と、該作業機本体の幅方向端部に折り畳み可能に回動自在に設けられ、耕耘体の作業幅を延長する延長耕耘体及び該延長耕耘体の後方位置に上下方向に回動可能に位置して整地作業を行う第１延長整地板及び該第１延長整地板の後方位置に上下方向に回動可能に位置して整地作業を行う第２延長整地板を有する延長作業体とを備えた折り畳み農作業機において、延長作業体の回動に連動して第２延長整地板と第２整地板を連結及び連結解除するとともに、延長作業体を折り畳み姿勢にすると第１延長整地板に係止されて第２延長整地板の回動を規制し延長作業体を展開姿勢にすると第１延長整地板との係止が解かれて第２延長整地板の回動規制を解除する回動規制手段を備え、回動規制手段は、第２延長整地板の第２整地板側端部に該第２延長整地板の幅方向に移動自在に支持された軸本体部と、第２延長整地板の第２整地板側端部に設けられて延長作業体の回動に連動して第２延長整地板と第２整地板を連結及び連結解除する連結軸部と一体的に設けられ、延長作業体を折り畳み姿勢にすると第１延長整地板に係止されて第２延長整地板の回動を規制し延長作業体を展開姿勢にすると第１延長整地板との係止が解かれて第２延長整地板の回動規制を解除する回動規制軸部と、軸本体部を第２整地板側に付勢する付勢手段と、第１延長整地板の第１整地板側端部から第２延長整地板側に延びる側板部の先端部に設けられて回動規制軸部と当接して該第２延長整地板の一方側の回動を規制する第１係止面及び側板部の基部側に設けられて第２延長整地板の第２整地板側端部と当接して該第２延長整地板の他方側の回動を規制する第２係止面と、第２整地板の第２延長整地板側端部に設けられて連結軸部と嵌合して第２延長整地板と第２整地板を一体的に連結する固定孔部とを有することを特徴とする。
【００１８】
この発明によれば、回動規制手段は、軸本体部と連結軸部及び回動規制軸部と付勢手段と第１係止面及び第２係止面と固定孔部とを有してなることにより、延長作業体を折り畳み姿勢にすると、第２延長整地板が第１係止面に当接することで第２延長整地板の一方側の回動が規制され、回動規制軸部が第２係止面に当接することで第２延長整地板の他方側の回動が規制されて、第２延長整地板の回動を規制することができる。このため、延長整地体が回動して作業機本体等に衝突する虞を確実に防止することができ、延長整地体の衝突により騒音が発生したり延長整地体等が破損したりする事態を未然に防止することができる。また第１係止面を側板部の先端部に設け、第２係止面を側板部の基部側に設けることで、第２延長整地板を回動規制するために受ける力を分散することができ、この力を受ける第１係止面や第２係止面を有した部分の剛性強化を抑制することができる。
【発明の効果】
【００１９】
本発明に係わる折り畳み農作業機によれば、延長作業体の回動に連動して第２延長整地板と第２整地板を連結及び連結解除するとともに、延長作業体を折り畳み姿勢にすると第１延長整地板に係止されて第２延長整地板の回動を規制し延長作業体を展開姿勢にすると第１延長整地板との係止が解かれて第２延長整地板の回動規制を解除する回動規制手段を備えることにより、延長作業体が折り畳み姿勢になると、第２延長整地板の回動によって騒音が発生したり第２延長整地板等が破損したりする虞のない折り畳み農作業機を提供することができる。
【発明を実施するための最良の形態】
【００２０】
以下、本発明の折り畳み農作業機の好ましい実施の形態を図１から図９に基づいて説明する。本実施の形態は、折り畳み農作業機のうち代かき用の折り畳み農作業機を例にして、以下説明する。なお、説明の都合上、図１（平面図）に示す矢印の方向を前後方向及び左右方向として、以下説明する。
【００２１】
折り畳み農作業機１は、図１に示すように、走行機体９０の後部に装着されて走行機体９０の走行とともに進行して代かき作業を行うものであり、左右方向の中央部に配置された作業機本体１０と、この左右両端部に上下方向に回動可能に取り付けられた延長作業体３０と、延長作業体３０の左右方向の外側端部に上下方向に回動可能に取り付けられた補助整地体５０とを備え、作業機本体１０及び延長作業体３０，３０によって３分割構造になっている。
【００２２】
作業機本体１０の前部には、走行機体９０の後部に設けられた３点リンク連結機構に連結される連結部が設けられており、折り畳み農作業機１は、この連結部によって昇降可能に連結される。また作業機本体１０の前部にはギアボックス１２が設けられ、走行機体９０のＰＴＯ軸からの動力がユニバーサルジョイント等の動力伝達手段を介してギアボックス１２に伝達されるようになっている。
【００２３】
作業機本体１０は、耕耘作業を行うロータリ等の図示省略の耕耘体を有し、この耕耘体の上方がカバー体を兼ねた機枠１３によって覆われている。この機枠１３の後端部に耕耘体の後方位置に上下方向に回動可能に取り付けられて整地作業を行う略板状の整地体１４が設けられている。
【００２４】
整地体１４は、機枠１３の後端部に前端部が枢結されて上下方向に回動可能な略板状の第１整地板１５と、第１整地板１５の後端部に前端部が枢結されて上下方向に回動可能な略板状の第２整地板１６とを有して構成されている。
【００２５】
左右両側に配設された延長作業体３０は、左右対称の構造を有し、作業機本体１０の耕耘体の作業幅を側方に延長するロータリ等の図示省略の延長耕耘体と、延長耕耘体の後方位置に上下方向に回動可能に位置して整地作業を行う延長整地体３１とを有してなる。延長耕耘体の上方はカバー体を兼ねた延長機枠３５によって覆われている。
【００２６】
延長整地体３１は、延長機枠３５の後端部に上下方向に回動可能に取り付けられて整地作業を行う略板状の部材である。この延長整地体３１は延長作業体３０の展開姿勢時に整地体１４の外端部に接合してこの整地体１４と連結され、延長整地体３１の折り畳み姿勢時には整地体１４の外端部から離反してこの整地体１４との接合が解除されるようになっている。
【００２７】
延長整地体３１は、延長機枠３５の後端部に前端部が枢結されて上下方向に回動可能な略板状の第１延長整地板３２と、第１延長整地板３２の後端部に前端部が枢結されて上下方向に回動可能な略板状の第２延長整地板３３とを有して構成されている。
【００２８】
また延長整地体３１の第２延長整地板３３の外端部には、上下方向に回動可能に取り付けられた補助整地体５０が設けられている。この補助整地体５０は、第２延長整地板３３の表側の外端部に設けられた枢支軸３４を回動中心として回動可能であり、展開状態時には対応する第２延長整地板３３の外側に延びて第２延長整地板３３の整地作業を補助し、折り畳んだ状態（不使用状態）時には第２延長整地板３３の表面側に折り畳まれて第２延長整地板３３と重なった状態となる。
【００２９】
このように構成された作業機本体１０と延長作業体３０には、第１回動規制手段６０が設けられている。この第１回動規制手段６０は、第１延長整地板３２の内端部に左右方向に移動自在に取り付けられた固定ロッド６１と、第１整地板１５の外側端部に設けられて固定ロッド６１と対向配置された図示しない係止部とを有してなる。固定ロッド６１は、圧縮ばね６２により軸方向内側に付勢され、延長作業体３０を展開状態にすると係止部に当接して両整地板（１５、３２）を連結し、延長作業体３０を折り畳み状態にすると固定ロッド６１の先端部が係止部から外れることにより両整地板（１５、３２）の連結状態を解除するように作動する。
【００３０】
また第２延長整地板３３と第２整地板１６には、図２（斜視図）に示すように、延長作業体３１の回動に連動して、第２整地板１６と第２延長整地板３３を連結及び連結解除するとともに、第１延長整地板３２に対する第２延長整地板３３の回動を規制する第２回動規制手段７０が設けられている。この第２回動規制手段７０は、第２延長整地板３３の表側の内端部に左右方向に移動自在に支持された軸本体部７１と、この軸本体部７１の第２整地板側に一体的に設けられた連結軸部７２及び回動規制軸部７３と、軸本体部７１を第２整地板側に付勢する付勢ばね７４と、第１延長整地板３２の第１整地板側端部から第２延長整地板側に延びる側板部３２ａの先端部に設けられて回動規制軸部７３を係止して第２延長整地板３３の回動を規制する係止凹部７５と、第２整地板１６の第２延長整地板側端部に設けられて連結軸部７２と嵌合して第２延長整地板３３と第２整地板１６を一体的に連結する固定孔部７６とを有してなる。
【００３１】
連結軸部７２は、軸本体部７１から第２整地板１６側へ延びる。回動規制軸部７３は軸本体部７１の先端部から第２整地板１６側へ連結軸部７２に沿って第２整地板１６側に延びる。連結軸部７２は溶接等によって軸本体部７１に一体的に取り付けられている。
【００３２】
係止凹部７５は、図３（ｂ）（部分断面図）に示すように、側板部３２ａの先端側上部であって第２延長整地板３３の回動中心Oを回動支点として回動する回動規制軸部７３の移動軌跡内に設けられている。この係止凹部７５は、略Ｕ字状に形成され、回動規制軸部７３における第２延長整地板３３の回動方向一方側端部及び他方側端部と当接する第１係止面７５ａ及び第２係止面７５ｂを有している。第１係止面７５ａと第２係止面７５ｂは対向配置され、これら係止面間の距離は回動規制軸部７３の直径より僅かに大きくなって、係止凹部７５内への回動規制軸部７３の挿入を容易にしている。このように、回動規制軸部７３が係止凹部７５内に挿入されると、回動規制軸部７３は第１係止面７５ａ及び第２係止面７５ｂに当接することで軸に対する垂直方向の移動が規制されて、第１延長整地板３２に対する第２延長整地板３３の回動を規制することができる。
【００３３】
固定孔部７６は、第２整地板１６の第２延長整地板側の端部から第２整地板１６の表側へ延びる側板部１６ａの上部であって第２延長整地板３３の回動中心Ｏを回動支点として回動する連結軸部７２の移動軌跡内に設けられている。この固定孔部７６は、長孔状に形成されている。固定孔部７６の短手方向の長さは連結軸部７２が挿抜可能に嵌合できる大きさを有している。このため、固定孔部７６に連結軸部７２が嵌合すると、第２整地板１６と第２延長整地板３３とを連結するとともに、第２整地板１６に対して第２延長整地板３３を位置決めすることができる。
【００３４】
また、固定孔部７６は、図４（部分断面図）に示すように、回動規制軸部７３が係止凹部７５に挿入されて第２延長整地板３３の回動が規制された状態で延長作業体３０が展開姿勢側に回動して展開姿勢の直前位置に移動すると、連結軸部７２の先端部が固定孔部７６より上方の側板部１６ａに当接する位置に配設されている。このため、延長作業体３０が展開姿勢の直前位置からさらに展開姿勢側に回動すると、先ず、連結軸部７２の先端部が側板部１６ａに当接することでわずかに連結軸部７２は第２延長整地板３３の幅方向外側へ移動する。これと同時に連結軸部７２と一体構造の回動規制軸部７３が係止凹部７５から外れて第２延長整地板３３の回動規制が解除され、第２延長整地板３３は回動中心Ｏを回動支点として下方へ回動する。するとまもなく第２整地板１６側へ付勢されて側板部１６ａ上を摺動する連結軸部７２が固定孔部７６へ嵌挿されて第２延長整地板３３と第２整地板１６が連結される。
【００３５】
また図１に示すように、延長作業体３０を展開し第２整地板１６と第２延長整地板３３を連結した状態時においては、互いに連結されて一体化した第２整地板１６及び第２延長整地板３３は、作業機本体１０の機枠１３の中央部に設けられた切換手段２０を介して支持されており、この切換手段２０によって両整地板（１６、３３）が通常作業姿勢及び土寄せ作業姿勢に切り換え可能になっている。
【００３６】
なお、通常作業姿勢は、図３（ａ）（側面図）に示すように、互いに連結されて一体化した第２整地板１６及び第２延長整地板３３が圃場の凹凸に応じて上下方向に回動可能な代掻き作業姿勢であり、この代掻き作業姿勢では第２整地板１６及び第２延長整地板３３は水平面に略沿った状態になる。また土寄せ作業姿勢は、図３（ａ）の二点鎖線で示すように、互いに連結されて一体化した第２整地板１６及び第２延長整地板３３を下方側へ回動した後、固定し、上方への回動を規制して代掻き土壌の土寄せ等を行うことができる作業姿勢である。これらの作業姿勢の選択は、図１に示す走行機体９０に搭乗した作業者が運転状態のままで操作可能になっている。
【００３７】
次に、折り畳み農作業機１の動作について説明する。
【００３８】
先ず、図１に示すように、最大の作業幅で代かき作業を行う場合には、左右両側の延長作業体３０を展開するとともに、左右両側の補助整地体５０を展開姿勢にし、且つ第２整地板１６を通常作業姿勢にする。そして、農作業機全体を３点リンク連結機構によって所望位置まで降下させて、代かき作業を行う。詳細は後述するが、延長作業体３０を展開姿勢にすると、第２延長整地板３３と第２整地板１６は連結されて一体化する。
【００３９】
また、中央の作業機本体１０のみで作業をする場合や、中央の作業機本体１０と左右いずれかの延長作業体３０で作業をする場合には、図５（側面図）に示すように、延長作業体３０を折り畳み姿勢にする必要がある。なお、図５は延長作業体３０を折り畳み姿勢にした折り畳み農作業機１をキャスタスタンド８０に設置した状態の側面図を示している。
【００４０】
これらの場合には、先ず、補助整地体５０を折り畳み姿勢（不使用状態）にした上で展開姿勢にある延長作業体３０を折り畳み側に回動させる。延長作業体３０が回動すると、連結軸部７２が固定孔部７６から抜脱されて両整地板（１６、３３）の連結状態が解除される。
【００４１】
両整地板（１６、３３）の連結状態が解除されると、図３（ｂ）及び図６（背面図）に示すように、第２延長整地板３３は自重により回動中心Ｏを回動支点として下方へ回動し、第２延長整地板３３の基部が第１延長整地板３２の側板部３２ａに設けた移動規制部材３６に当接して回動が規制されて下方に向いた姿勢になる。そして、延長作業体３０を折り畳み側（上側）に回動させると、回動規制軸部７３はその先端部が側板部３２ａに当接しながら係止凹部７５側に移動して係止凹部７５に突入して係止されて、第２延長整地板３３は回動規制された状態になる。そして、第２延長整地板３３の回動が規制された状態で、延長作業体３０が更に折り畳み姿勢側に回動すると、図５に示すように、延長作業体３０は折り畳み姿勢になり、第２延長整地板３３は先端が下方へ向いた姿勢になる。
【００４２】
このように、延長作業体３０は折り畳み姿勢になると、第２延長整地板３３は第２回動規制手段７０によって回動が規制される。このため、延長作業体３０を折り畳み姿勢にして農作業機が圃場等を進行する際に第２延長整地体３３が暴れて作業機本体１０に衝突する虞を確実に防止することができ、第２延長整地体３３の衝突よって騒音が発生したり第２延長整地体３３等が破損したりする事態を未然に防止することができる。また延長作業体３０が折り畳み姿勢になると、第２延長整地板３３は先端が下方へ向いた姿勢になるので、折り畳み農作業機１の進行方向に対する前後長さを短くすることができ、農作業機が圃場等を移動する際の農作業機の移動操作を容易にすることができる。また第２延長整地板３３の先端部を下方に向けることができるので、第２延長整地板３３の先端部が障害物等に接触する虞を抑制することができる。
【００４３】
一方、折り畳み姿勢にある延長作業体３０を展開姿勢側に回動させる場合、図４に示すように、回動規制軸部７３は係止凹部７５に係止されているので、第２延長整地板３３は回動規制された状態に維持されている。このような状態で延長作業体３０が展開姿勢の直前位置に移動すると、連結軸部７２が側板部１６ａに当接して付勢ばねの付勢力に抗して連結軸部７２が第２整地板１６から離反する方向に移動して、回動規制軸部７３が係止凹部７５から抜脱されて、第２延長整地板３３の回動規制が解除される。そして、第２延長整地板３３は回動中心Ｏを回動支点として下方へ回動する。するとまもなく第２整地板１６側へ付勢されて側板部１６ａ上を摺動する連結軸部７２が固定孔部７６へ嵌挿されて第２延長整地板３３と第２整地板１６が連結される。
【００４４】
このように、本願発明の折り畳み農作業機１は、延長作業体３０が展開姿勢の直前位置に移動すると連結軸部７２の先端部が固定孔部７６より上方の側板部１６ａに当接するように構成されているが、延長作業体３０が展開姿勢になったときに連結軸部７２が直接に固定孔部７６内に挿入される構成の方が当然の発想である。しかしながら、本願の折り畳み農作業機１は、後者の構成を採用していない。これは、延長作業体３０及び作業機本体１０は軸方向に延びた構造であるので撓み易く、延長作業体３０を展開姿勢にすると、延長作業体３０や作業機本体１０は自重によって撓んで連結軸部７２と固定孔部７６の相対位置がずれる虞がある。そこで、これらの相対位置がずれないように延長作業体３０や作業機本体１０の剛性を強化することも可能であるが、このようにすると、農作業機の重量が増大するとともにコストが上がるという問題が生じる。従って、延長作業体３０や作業機本体１０の剛性を上げることなく連結軸部７２を固定孔部７６内に挿入可能な構造が必要とされ、その結果、延長作業体３０が展開姿勢の直前位置に移動すると連結軸部７２の先端部が固定孔部７６より上方の側板部１６ａに当接する構造が開発された。
【００４５】
このため、本願の折り畳み農作業機１は、延長作業体３０が展開姿勢になったときに連結軸部７２が直接に固定孔部７６内に挿入される場合と比較して、剛性をそのままで、延長作業体３０の組み立て精度や連結軸部７２の取り付け精度の許容範囲を大きくすることができ、農作業機のコストアップを抑制することができる。
【００４６】
なお、連結軸部７２は、延長作業体３０が展開姿勢側に回動して展開姿勢の直前位置に移動したときに、連結軸部７２の先端部が固定孔部７６より下方の側板部１６ａに当接するようにしてもよい。この場合には、作業を開始すると、その接地圧により第２延長整地板３３はやがて上方へ回動して第２整地板１６側へ付勢されて側板部１６ａ上を摺動する連結軸部７２が固定孔部７６へ嵌挿されて第２延長整地板３３と第２整地板１６が一体化する。
【００４７】
また前述した実施例では、回動規制軸部７３を係止する手段として第１係止面７５ａ及び第２係止面７５ｂを有した係止凹部７５を側板部３２ａの先端部に設けたが、係止凹部７５の機能を分割してもよい。即ち、図８（側面図）及び図９（側面図）に示すように、側板部３２ａの先端部に回動規制軸部７３の一方側の回動を規制する第１係止面７５ａを設けて第２延長整地板３３の一方側の回動を規制し、側板部３２ａの基部側の内面に第２延長整地板３３の第２整地板側の基端部と当接して第２延長整地板３３の他方側の回動を規制する第２係止面７５ｂを前述した移動規制部材３６に設けてもよい。
【００４８】
第１係止面７５ａは、第１延長整地板３２の第１整地板側端部から第２延長整地板３２側へ延びる側板部３２ａの先端部であって第２延長整地板３３の回動中心Oを回動支点として回動する回動規制軸部７３の移動軌跡内にあり、さらに第１延長整地板３２及び第２延長整地板３３が略垂直方向に延びた状態で回動規制軸部７３と当接する位置に設けられている。この第１係止面７５ａは回動規制軸部７３を保持可能な湾曲状又は略平面状に形成されている。
【００４９】
回動規制軸部７３は連結軸部７２が固定孔部７６に嵌挿されると側板部３２ａの先端上部外面に当接する。そして、延長作業体３０が展開姿勢から折り畳み姿勢側に回動すると、連結軸部７２は固定孔部７６から抜脱されて第２延長整地板３３が回動中心Ｏを回動支点として下方へ回動し、これと同時に第２整地板１６側へ付勢された回動規制軸部７３が側板部３２ａ上を摺動し、そして回動規制軸部７３の位置が第１係止面７５ａを超えると、付勢された回動規制軸部７３が第２整地板１６側へ突出して第１係止面７５ａに沿った近接位置に移動する。
【００５０】
第２係止面７５ｂは、側板部３２ａの基部側であって、第２延長整地板３３の第２整地板側の基端部３３ａの移動軌跡内において回動規制軸部７３が近接位置に移動すると基端部３３ａが第２係止面７５ｂに当接する位置に配設されている。このため、回動規制軸部７３が近接位置に移動すると、基端部３３ａが第２係止面７５ｂに当接して第２延長整地板３３の一方側の回動が規制されるとともに、回動規制軸部７３が第１係止面７５ａに当接することで第２延長整地板３３の他方側の回動が規制される。
【００５１】
さらに延長作業体３０が折り畳み姿勢側に回動して折り畳み姿勢になると、図８に示すように、第２係止面７５ｂは上方へ向いた姿勢となり、第２延長整地板３３は下方へ回動して回動規制軸部７３が第１係止面７５ａに当接して第２延長整地板３３の下方への回動が規制される。また図９に示す基端部３３ａは第２係止面７５ｂの近傍位置に移動して、第２延長整地板３３の上方への回動が規制される。
【００５２】
このように側板部３２ａの先端部に第１係止面７５ａを設け、第２係止面７５ｂを側板部３２ａの基部側に設けることにより、前述した実施例と同様に、延長作業体３０が折り畳み姿勢にあるときの第２延長整地板３３の回動を規制することができ、第２延長整地板３３の回動により騒音が発生したり第２延長整地板３３等が破損したりする虞を未然に防止することができる。また第１係止面７５ａと第２係止面７５ｂは互いに離れた位置に配置されているので、第２延長整地板３３を回動規制するために受ける力を分散することができ、この力を受ける第１係止面７５ａや第２係止面７５ｂの剛性強化を抑制することができる。
【００５３】
なお、係止部材７７は第１延長整地板３２の両端部に設けられた側板部のいずれか一方側又は両側に設けてもよい。また前述した実施例では、代かき用の折り畳み農作業機１を例にして説明したが、前述した第２回動規制手段７０を耕耘・砕土用の折り畳み農作業機に取り付けてもよい。
【図面の簡単な説明】
【００５４】
【図１】本発明の一実施の形態に係わる代かき用の折り畳み農作業機の平面図を示す。
【図２】この折り畳み農作業機に設けられた第２回動規制手段の斜視図を示す。
【図３】第２回動規制手段の作動を説明するための部分断面図を示す。
【図４】第２回動規制手段の作動を説明するための部分断面図を示す。
【図５】延長作業体が折り畳み姿勢にあるときの折り畳み農作業機の側面図を示す。
【図６】回動規制が解除された第２延長整地体の背面図を示す。
【図７】第２延長整地体と第２整地体とが連結された状態を示し、同図（ａ）はこれら整地体の平面図であり、同図（ｂ）はこれら整地体の背面図である。
【図８】本発明の他の実施の形態に係わる代かき用の折り畳み農作業機の側面図を示す。
【図９】他の実施の形態に係わる第２回動規制手段の側面図を示す。
【図１０】従来の代かき用の折り畳み農作業機の斜視図を示す。
【符号の説明】
【００５５】
１  折り畳み農作業機
１０  作業機本体
１４  整地体
１６ａ，３２ａ  側板部
３０  延長作業体
３２  第１延長整地板
３３  第２延長整地板
７０  第２回動規制手段（回動規制手段）
７１  軸本体部
７２  連結軸部
７３  回動規制軸部
７４  付勢ばね
７５  係止凹部
７５ａ  第１係止面
７５ｂ  第２係止面
７６  固定孔部
【図１】
0004754971.tif 000002
【図２】
0004754971.tif 000003
【図３】
0004754971.tif 000004
【図４】
0004754971.tif 000005
【図５】
0004754971.tif 000006
【図６】
0004754971.tif 000007
【図７】
0004754971.tif 000008
【図８】
0004754971.tif 000009
【図９】
0004754971.tif 000010
【図１０】
0004754971.tif 000011